(57)【要約】      （修正有）【課題】人身体の疾患部を適度の強さで繰り返し叩打やマッサージすることができる電気マッサージ器およびその制御盤を提供する。【解決手段】振動ヘッド２０の先端である接触子１と、振動ヘッド２０と、振動ヘッド２０のグリップ１３から振動ヘッド接続コード２２で接続した操作パネル２５を有する制御盤２１からなり、制御盤２１には電源コード２４を有し、身体に当接する接触子１は先端の接触部１ａを処置する疾患部に合わせて適宜選択して使用できる電気マッサージ器で、上記の接触子１は身体の疾患部の大きさに合わせて取り替えできる。さらに振動ヘッド２０を適宜コントロールする制御盤２１は操作パネル２５に振動の強さ表示部と速さ表示部を有し、強さ調節ボタン２７と速さ調節ボタン２９により簡単に操作できる。【選択図】図１
0003156487.tif 000002
【実用新案登録請求の範囲】
【請求項１】
中心の軸孔（４ａ）を除き閉塞された先端壁（４ｂ）を有する筒状の前端部材（４）と、この前端部材（４）の後半部（４ｃ）を外被しかつ後方に延びる外筒からなるハウジング（１０）と外筒のハウジング（１０）の後端（１０ａ）内に前半が挿通された環状部（１２ａ）からなる後端部（１２）とからなり、この後端部（１２）に後端部（１２）の軸方向と交差して片方に延びるグリップ（１３）を配設し、筒状の前端部材（４）に内在され前端部材（４）の軸孔（４ａ）から突出する軸状の取り付け具（３）と、この取り付け具（３）の先端（３ａ）を後端軸（１ｂ）の嵌着孔（１ｃ）内に嵌着して先端に人体への接触部（１ａ）を有する接触子（１）からなり、上記の筒状の前端部材（４）の内部には、軸孔（４ａ）から突出する軸状の取り付け具（３）の後端は拡径円盤（３ｂ）に形成されて前端部材（４）の後半部（４ｃ）に延び、前端部材（４）の先端壁（４ｂ）の背面と取り付け具（３）の拡径円盤（３ｂ）の前面との間には取り付け具（３）の軸径よりも大きな環状孔（５ａ）と前端部（４）の内径（４ｄ）に達する外径（５ｂ）を有する長筒状ゴム（５）を拡径円盤（３ｂ）の前面と遊びの間隙を有して内在し、拡径円盤（３ｂ）の背面から後方に取り付け具（３）の軸径よりも大きな環状孔と前端部（４）の内径（４ｄ）に達する外径を有する短筒状ゴム（６）を前端部材（４）の後端から後方に延ばして内在し、拡径円盤（３ｂ）の背面に取り付け具（３）の軸径よりも小径軸の非磁性体からなるロッド（１７）の先端を当接しかつハウジング（１０）の中央部に延在して有し、このロッド（１７）の周囲には磁性体からなりかつ前端側にハウジング（１０）の筒内壁まで拡径されたボビン押さえ部（７ａ）とこのボビン押さえ部（７ａ）より縮径されたボビン受け部（７ｂ）からなりかつロッド（１７）の後端（１７ｂ）よりも手前まで延在して環状間隙部（７ｃ）を配してボビン受け（７）を有し、さらにボビン押さえ部（７ａ）の後方の環状間隙部（７ｃ）とロッド（１７）の後端に軸径がボビン受け部（７ｂ）よりも小径でボビン（８）の内径との間に滑動空間を有する鉄心部からなる可動体（１６）の前半部（１６ａ）とこれに続きボビン（８）の後端よりも後方の環状孔（１２ｂ）を有する後端部（１２）の環状部（１２ａ）中に延在する可動体（１６）の後半部（１６ｂ）を有し、この後半部（１６ｂ）の可動体（１６）の周囲とその外周に離間したボビン（８）の内壁の間にバネ（１１）を有し、さらにボビン（８）の周囲に捲線からなるソレノイド（９）を有し、ソレノイド（９）の後端にはサーミスタからなる感熱体（１５）を有し、筒状のハウジング（１０）の後端（１０ａ）を後蓋（１８）で覆い、ハウジング（１０）の後端（１０ａ）と後蓋（１８）の側部から延びるグリップ（１３）を設け、このグリップ（１３）にソレノイド（９）および感熱体（１５）からの配線（１４）をグリップ（１３）に配してグリップ（１３）の付け根の前端部にソレノイド（９）に通電をオン・オフするヘッドスイッチ（１９）を配設して形成の振動ヘッド（２０）とその制御盤（２１）からなる電気マッサージ器。
【請求項２】
振動ヘッド（２０）の接触子（１）の先端の人体への接触部（１ａ）はウレタンゴムから形成することにより接触子（１）の身体への当接を柔軟にしたことを特徴とする請求項１に記載の振動ヘッド（２０）とその制御盤（２１）からなる電気マッサージ器。
【請求項３】
振動ヘッド（２０）の制御盤（２１）は振動ヘッド（２０）のグリップ（１３）に接続の振動ヘッド接続コード（２２）を制御盤（２１）の一側面に有し、制御盤（２１）の他側面に電源スイッチ（２３）と電源コード（２４）を有し、制御盤（２１）の上面である操作パネル（２５）に振動の強さを段階的にＬＥＤで表示する強さ表示部（２６）と振動の速さを段階的にＬＥＤで表示する速さ表示部（２８）とを有し、さらに振動強さを任意に調節する強さ調節ボタン（２７）と振動速さを任意に調節する速さ調節ボタン（２９）を有することを特徴とする請求項２に記載の振動ヘッド（２０）とその制御盤（２１）からなる電気マッサージ器。
【考案の詳細な説明】
【技術分野】
【０００１】
この考案は、身体を叩くことより刺激して血行をよくし、疲労を取り去り、筋肉の機能を高め、緊張をほぐす等のためにマッサージする電気マッサージ、および硬結部や拘縮している筋肉にバイブレーションを施す筋スラッキングによる骨格矯正等に適用可能な器具およびその制御盤に関し、特に手による叩打法に代えて、マッサージを必要とする身体の箇所の表面に、主として前後方向に機械的に振動する振動ヘッドの先端を押し当てることで身体を叩打してマッサージする電気マッサージ器とその制御盤に関する。
【背景技術】
【０００２】
従来、マッサージは主として、手指や手のひらで、皮膚をさすったり、揉んだり叩いたり、あるいは押すなど力学的刺激を皮膚に加えて行う治療法の一種で、西洋医学で行う理学療法である。このマッサージを行うには、通常は専門的知識と技量を必要とするが、家庭で凝りをほぐしたりするために、その凝った部分を叩いたり揉んだりする、例えば肩たたきなどは一般的に行われている行為である。
【０００３】
ところで、このような人為的な行為の代わりに機械操作からなるコロ状器具や叩打器具を用いて必要箇所を叩打したりマッサージを行ったり、身体全体をマッサージする大型器具であるマッサージチェアや、足部のみや腰部のみをマッサージする小形器具が種々開発されている。
【０００４】
一方、脊柱矯正術の一つとして、アメリカで創始されたカイロプラクティックがある。このカイロプラクティックでは、病気は神経系の機能障害によって起るという考え方に基づいて、「手による施術」で、脊椎の異常を手で衝撃してその異常を整え、狭められた脊椎骨の間の椎間孔を正常に復すとともに、神経の圧迫を無くして神経機能を回復し、支配下の組織や器官の機能の異常を整えるための治療法で、身体、特に脊柱の指圧で神経系の機能回復をはかろうとする方法である。
【０００５】
従来、このような叩打により関節障害を矯正するために使用するハンディタイプからなる電動式カイロプラクティック用矯正器具が考案されて公開されている（例えば、特許文献１参照。）。これは、関節障害の矯正方法として患者の首や体を曲げたりねじったりする際に患者に不安感を与えることが無いようにし、また、熟練した施術者でなくともカイロプラクティック効果が得られるようにしたと説明されている、ハンディタイプの電動式カイロプラクティック用器具である。しかし、このカイロプラクティック用器具は前半の下筒と後半の上筒からなるもので、下筒の先端から一部外部に突出する打撃棒の先端の弾性ゴム体を患者の治療しようとする患部に当て押し下げる。次いで、この押し下げにより可動体である打撃棒を下筒内の小パイプ内に押し込み、小パイプ内の後端側のスプリングをその弾撥に抗して圧縮し、この押し込んだ打撃棒の後端を、下筒内の後半部に収納されたソレノイドの後半側から上筒側に延びた棒状鉄心の前端に当接させる。この場合、ソレノイドの通電により磁化されて電磁石となった棒状鉄心の前端に当接した打撃棒の後端は吸引されて固定される。この状態でスイッチを押してソレノイドへの電流の供給を切ることで、棒状鉄心から打撃棒は解除され、上記の小パイプ内の後端側に圧縮されて弾撥状となったスプリングにより、棒状鉄心は一気に付勢されて先端のゴム弾性体が患者に１回の打撃を与えるものである。しかし、このものは小パイプ内の上記のスプリングの前方にさらにスプリングを有して圧縮を緩和するようにしているが、先端のゴム弾性体の患部への押込み力が強すぎるとともに、壊れやすい問題がある。
【０００６】
上記の電動式カイロプラクティック用矯正器具とは別に、ソレノイドの磁力とバネの付勢力とにより可動体を前後に振動させ、連動する接触子により人体に打撃を与えるに際し、マッサージのための操作が円滑に達成できるようにしたものとして、軸心が前後方向に伸びるハウジングに内有されて前後に移動可能とされる可動体と、ハウジング内に内有され、可動体を磁力によりハウジングの後端部側に向けて吸引可能とするソレノイドと、ソレノイドの吸引力に対抗して可動体をハウジングの前端部側に向けて付勢するばねと、可動体の前端部に取り付けられて人体に接触可能とされる接触子とを備えた前後に振動するようにしたマッサージ器において、ハウジングの後端部の端面に取り付けられ、操作者に把持可能とされるグリップを設けたマッサージ器が提案されている（例えば、特許文献２参照。）。ところで、この装置は上記によると「可動体を磁力によりハウジングの後端部側に向けて吸引可能とするソレノイド」とあるもので、特許文献２の図面に表された位置関係にあるソレノイドと可動体において、鉄製円筒体を有する可動体はソレノイドから後方にずれて配置されている。そして、ソレノイドによる磁力で可動体はハウジングの後端部側に向けて吸引され、ソレノイドの通電を止めると後端のバネにより付勢されて鉄製円筒体がその前方のストッパまで移動する構造となっているものである。しかし、ソレノイドの通電により発熱して過熱し、グリップが熱くなり過ぎない様にするために、ソレノイドを有するハウジングの後端に別体としてグリップが取り付けられているが、この別体のグリップのソレノイド方向の空胴部の長さは、ソレノイドを収納するハウジングの内部空間に存在するソレノイドの長さよりも長いものと図面ではなっており、このために、その明細書の段落００４５に記載される様に、熱の伝達が抑制されているものである。しかし、そのためにグリップのソレノイド方向の長さが長くなり、長大で取扱いにくいものである。
【先行技術文献】
【特許文献】
【０００７】
【特許文献１】実開平２−１４９２１６号公報
【特許文献２】特開２００９−３４４７６号公報
【考案の概要】
【考案が解決しようとする課題】
【０００８】
この考案は、人体の凝った部分を適度の強さで繰り返し叩打し刺激して血行をよくし、疲労を取り去り、拘縮した筋肉を弛緩させて筋肉の機能を高め、緊張をほぐす等、あるいは肩や腕や背中や膝や足裏などの患部を狙ってマッサージを必要とする身体の箇所の表面に前後方向の適宜大きさの機械的振動を付与することができ、かつ、機器の稼働による発熱に対しても温度上昇を検知して余分の発熱を抑えることができ、さらに施術中に機器を保持する施術者の手に振動を与えて振動による障害を引き起こすことのないように振動の激しさに応じて継続する振動時間に上限を設けた機構とした電気マッサージ器およびその制御盤を提供することである。
【課題を解決するための手段】
【０００９】
上記の課題を解決するための本考案の手段において、請求項１の考案は、中心の軸孔４ａを除き閉塞された先端壁４ｂを有する筒状の前端部材４と、この前端部材４の後半部４ｃを外被しかつ後方に延びる外筒からなる磁性体からなるハウジング１０と外筒のハウジング１０の後端１０ａ内に前半が挿通された環状部１２ａからなる後端部１２とからなり、この後端部１２に後端部１２の軸方向と交差して片方に延びるグリップ１３を配設し、筒状の前端部材４に内在され前端部材４の軸孔４ａから突出する軸状の取り付け具３と、この取り付け具３の先端３ａを後端軸１ｂの嵌着孔１ｃ内に嵌着して先端に人体への接触部１ａを有する接触子１からなり、上記の筒状の前端部材４の内部には、軸孔４ａから突出する軸状の取り付け具３の後端は拡径円盤３ｂに形成されて前端部材４の後半部４ｃに延び、前端部材４の先端壁４ｂの背面と取り付け具３の拡径円盤３ｂの前面との間には取り付け具３の軸径よりも大きな環状孔５ａと前端部４の内径４ｄに達する外径５ｂを有する長筒状ゴム５を拡径円盤３ｂの前面と略１ｍｍの間隙を有して内在し、拡径円盤３ｂの背面から後方に取り付け具３の軸径よりも大きな環状孔と前端部４の内径４ｄに達する外径を有する短筒状ゴム６を前端部４の後端から後方に延ばして内在し、拡径円盤３ｂの背面に取り付け具３の軸径よりも小径軸の非磁性体からなるロッド１７の前端を当接しかつハウジング１０の中央部に延在して有し、このロッド１７の周囲には磁性体からなりかつ前端側にハウジング１０の筒内壁まで拡径されたボビン押さえ部７ａとこのボビン押さえ部７ａより縮径されたボビン受け部７ｂからなりかつロッド１７の後端よりも略４ｍｍ手前まで延在して環状間隙部７ｃを配してボビン受け７を有し、さらにボビン押さえ部７ａの後方の略４ｍｍの環状間隙部７ｃとロッド１７の後端に軸径がボビン受け部７ｂよりも小径でボビン８の内径との間に滑動空間を有する鉄心部からなる可動体１６の前半部１６ａとこれに続きボビン８の後端よりも後方の環状孔１２ｂを有する後端部１２の環状部１２ａ中に延在する可動体１６の後半部１６ｂを有し、この後半部１６ｂの可動体１６の周囲とその外周に離間したボビン８の内壁の間にバネ１１を有し、さらにボビン８の周囲に捲線からなるソレノイド９を有し、ソレノイド９の後端にはサーミスタからなる感熱体１５を有し、筒状のハウジング１０の後端１０ａを後蓋１８で覆い、ハウジング１０の後端１０ａと後蓋１８の側部から延びるグリップ１３を設け、このグリップ１３にソレノイド９および感熱体１５からの配線１４をグリップ１３に配してグリップ１３の付け根の前端部にソレノイド９への通電をオン・オフするヘッドスイッチ１９を配設して形成の振動ヘッド２０とその制御盤２１からなる電気マッサージ器である。
【００１０】
請求項２の考案は、振動ヘッド２０の接触子１の先端の人体への接触部１ａはウレタンゴムから形成することにより接触子１の身体への当接を柔軟にしたことを特徴とする請求項１に記載の振動ヘッド２０とその制御盤２１からなる電気マッサージ器である。
【００１１】
請求項３の考案は、振動ヘッド２０の制御盤２１は振動ヘッド２０のグリップ１３に接続の振動ヘッド接続コード２２を制御盤２１の一側面に有し、制御盤２１の他側面に電源スイッチ２３と電源コード２４を有し、制御盤２１の上面である操作パネル２５に振動の強さを段階的にＬＥＤで表示する強さ表示部２６と振動の速さを段階的にＬＥＤで表示する速さ表示部２８とを有し、さらに振動強さを任意に調節する強さ調節ボタン２７と振動速さを任意に調節する速さ調節ボタン２９を有することを特徴とする請求項２に記載の振動ヘッド２０とその制御盤２１からなる電気マッサージ器である。
【考案の効果】
【００１２】
本考案は上記の手段としたことで、請求項１の考案では、一般家庭用の電源にコンセントを挿着して接触子を種々に交換して使用できるので、容易に手軽に安全に電気マッサージ器が身体の疾患部の大きさに合わせて使用でき、身体を叩きマッサージすることより、身体の疾患部を刺激して血行をよくし、疲労を取り去り、拘縮した筋肉を弛緩させて筋肉の機能を高めたり、緊張をほぐしたりできる効果を有している。さらに、取り付け具の先端に挿着する接触子の軸径が従来品に比して太く形成しているので過酷な振動により疲労して折れることなく安全である。また、感熱体により過度の発熱を抑制しているのでグリップを特に大きくしたりせずとも過熱すること自体が避けられるので、多数の人に施術する場合でも、長時間のグリップの把持が容易である。また、可動体は長筒状ゴムで緩衝されるので、弾撥ばねよりも筐体、すなわちハウジングへ伝わる反動が低減されて、グリップを把持する手に振動が伝わらず、長時間把持しても痺れにくくなっている。また、秒間１００回という高速で可動体が動作するためには、仮にばねで付勢するならば、ばねを強くしなければ元の位置に復帰できないが他方それでは振動を緩衝できないこととなっていたところ、本考案では、長筒状ゴムによって振動を低減しつつ高速に可動体を元の位置に復帰させることができるので、振動や機械音の低減と、長筒状ゴムの復元力によって素早いソレノイドの通電間隔にも追従して可動体が動作し両立できるものとなった。さらに、ハウジング１０が磁性体であることによって、ソレノイドの磁力を強めることができるので効率が高まり、また、磁性体の鉄を用いることでハウジングの重量が増すことは、振動の低減になる。
請求項２の考案では、身体を叩きあるいはマッサージして刺激する電気マッサージ器の身体への直接に当接する部分がウレタンゴムの柔軟な素材であるので、身体の疾患部に優しく柔軟に当接し、ウレタンゴムが劣化した際には交換が容易である等の効果を有する。
請求項３の考案は制御盤で振動の強さおよび振動の速さを適宜の強さと速さに規制するように制御されており過度な強さの振動を長時間継続できなくしているので、操作音も静かである。
【図面の簡単な説明】
【００１３】
【図１】本考案の構成要部である振動ヘッド先端の接触子と振動ヘッドとその制御盤からなる電気マッサージ器の全体を示す斜視図である。
【図２】図１の構成要部をそれぞれ独立して示す斜視図である。
【図３】本考案の電気マッサージ器の各構成要部の大きさを示す平面図である。
【図４】振動ヘッドの本体部を断面図である。
【図５】制御盤の上面の操作パネル背面を示す斜視図である
【図６】制御盤の操作パネルの平面図である。
【図７】振動ヘッドの強さと速さをイメージで示すイメージ図である。
【図８】振動ヘッドの強さと速さの関係を示す表示パネルの表示状態を示す図で、（ａ）は振動強さを変更した際の振動速さの変更状態の１例を示し、（ｂ）は振動速さを変更した際の振動強さの変更状態の１例を示し、（ｃ）は振動強さと振動速さの組合せのできない範囲を示す図である。
【図９】振動強さを一定にして毎秒当たりの振動速さをため打ち状態にした表示パネル面と振動のパルスを示す図である。
【図１０】振動強さを一定にして毎秒当たりの振動速さを速たたき状態にした表示パネル面と振動のパルスを示す図である。
【図１１】振動強さを一定にして毎秒当たりの振動速さをバイブレーション状態にした表示パネル面と振動のパルスを示す図である。
【図１２】本考案の電気マッサージ器の振動ヘッドを身体の各要部に適用して状態を示す図である。
【考案を実施するための形態】
【００１４】
本考案を実施するための形態を図面を参照して説明する。先ず、本願の考案は、図１に示すように、振動ヘッド２０の先端である接触子１と、振動ヘッド２０と、振動ヘッド２０のグリップ１３から振動ヘッド接続コード２２で接続した操作パネル２５を有する制御盤２１からなり、制御盤２１には電源コード２４を有する。接触子１は先端の接触部１ａが１個からなる品番（イ）のものと、間隔が１８ｍｍの品番（ロ）、３０ｍｍの品番（ハ）、４４ｍｍの品番（ニ）からなる二股の接触部１ａからなるものであり、処置する凝った部分の大きさに合わせて適宜選択して使用するものとなっている。図２は、図１の構成要部をそれぞれ独立して示しており、図の右側から制御盤２１、振動ヘッド接続コード２２、振動ヘッド２０および４種の接触子１を示し、振動ヘッド接続コード２２はいわゆるメタコンにより制御盤２１および振動ヘッド２０のグリップ１３の一端にそれぞれ接続される。
【００１５】
図３は、本考案の図１に示す構成要部の各寸法を有し、振動ヘッド２０は接触子１の先端からの長さ２３０ｍｍで、振動ヘッド２０の後端部のグリップ１３の下端までの幅が１５５ｍｍであり、振動ヘッド接続コード２２の長さは３ｍであり、制御盤２１の大きさは横幅が３００ｍｍで、縦幅が１９５ｍｍで、後端部の高さが１１２ｍｍである。これらの重さは、振動ヘッド接続コード２２を含む振動ヘッド２０が１．６ｋｇで、制御盤２１が３．０ｋｇである。
【００１６】
請求項１の考案では、図４に示すように、振動ヘッド２０は中心の軸孔４ａを除き閉塞された先端壁４ｂを有する筒状の前端部材４と、この前端部材４の後半部４ｃを外被し、かつ後方に延びる外筒からなる磁性体からなる鉄製のハウジング１０とハウジング１０の後端１０ａ内に前半部を挿通して固定している環状部１２ａを有する後端部１２からなっている。さらに、この後端部１２にその軸方向と交差して直角方向に片方へ延びるグリップ１３を有する。さらに、筒状の前端部材４に軸孔４ａから前方に突出する軸状の取り付け具３を有する。この取り付け具３の先端３ａには接触子１を有する。この接触子１の取り付け具３への取り付けは、接触子１の後端軸１ｂの嵌着孔１ｃに取り付け具３の先端３ａを挿通して嵌め、先端３ａの軸の周囲に嵌めたＯリング２により緩まないようにして取り付けられている。この接触子１の先端は人体への接触部１ａとなっている。本考案の接触子１はその軸径が従来品の接触子の軸径に比して太く形成されているので、過酷な振動により疲労して折れることなく安全である。また、接触子１の軸径が太いので取り付け具３の先端３ａを挿通し易い。
【００１７】
上記の筒状の前端部材４の内部には、軸孔４ａから突出する軸状の取り付け具３の後端が拡径円盤３ｂに形成され、前端部材４の後半部４ｃの内部で延びている。前端部材４の先端壁４ｂの背面と取り付け具３の拡径円盤３ｂの前面との間には、取り付け具３の軸径よりも大きな環状孔５ａと前端部４の内径４ｄに達する外径５ｂと前端部４の内径４ｄに達する外径５ｂを有する長筒状ゴム５が拡径円盤３ｂの前面と略１ｍｍの間隙からなる遊びを設けて嵌められている。さらに拡径円盤３ｂの背面から後方に取り付け具３の軸径よりも大きな環状孔と前端部４の内径４ｄに達する外径を有する短筒状ゴム６を前端部４の後端から後方に延ばして内在している。さらに取り付け具３の軸径よりも小径軸の非磁性体からなるロッド１７がその前端を拡径円盤３ｂの背面に当接し、かつ、ハウジング１０の中央部まで延在している。このロッド１７の周囲には、ロッド１７を挿通する環状孔を有するボビン受け７がある。このボビン受け７は磁性体からなり、かつ、前端側にハウジング１０の筒内壁まで拡径されたボビン押さえ部７ａとこのボビン押さえ部７ａより縮径されたボビン受け部７ｂを有し、かつ、ロッド１７の後端の略４ｍｍ手前まで延在し、その後部に環状間隙部７ｃを配置している。
【００１８】
さらにボビン押さえ部７ａの略４ｍｍ後方の環状間隙部７ｃとロッド１７の後端には、軸径がボビン受け部７ｂの外径よりも大径であるソレノイド９用のボビン８の内径との間に、滑動空間を有する鉄心部材からなる可動体１６の前半部１６ａと、これに続くボビン８の後端よりも後方の環状孔１２ｂを有する後端部１２の環状部１２ａの中に延びている可動体１６の後半部１６ｂを有する。この後半部１６ｂの可動体１６の周囲は前端部１６ａよりも縮径されており、その縮径の外周と離間しているボビン８の内壁との間にバネ１１を有する。さらにソレノイド９用のボビン８の周囲に巻き線からなるソレノイド９を有する。ソレノイド９の後端にはサーミスタからなる感熱体１５を有し、ソレノイド９の発熱による温度が一定以上に上昇して振動ヘッド２０の内部が過熱しすぎるとソレノイド９への電流を遮断してハウジング１０内を一定温度以下に保つことで、後部のグリップ１３に過熱の熱が及ぶことを阻止して、安心してグリップ１３を把持できるものとしている。したがって、本考案の振動ヘッド２０のグリップ１３の内部には、ソレノイド９あるいは感熱体１５への配線およびヘッドスイッチ１９とグリップ１３の下端のメタコンへの配線を通す孔径の孔が内在しておれば十分である。
【００１９】
さらに、この筒状のハウジング１０の後端１０ａは後蓋１８で覆い、ハウジング１０の後端１０ａと後蓋１８の側部から延びるグリップ１３を設けている。このグリップ１３内にはソレノイド９および感熱体１５への配線１４が図４に模式的に示す様に配線されており、グリップ１３の付け根の前端部に設けたヘッドスイッチ１９にソレノイド９への配線１４の一部を接続して、ソレノイド９への通電をオン・オフを可能とし、さらにグリップ１３の下端に設けられたメタコンにより振動ヘッド接続コード２２の一端を接続し、さらに振動ヘッド２０からその制御盤２１へ振動ヘッド接続コード２２の他端を接続して形成した電気マッサージ器である。
【００２０】
請求項２の考案では、上記の請求項１の考案の構造において、さらに、振動ヘッド２０の接触子１の先端は、身体への当接を柔軟とするために、人体への接触部１ａがウレタンゴムから形成して、ウレタンゴムの後端部から設けた孔に接触子１の先端部を挿通できるものとし、摩耗した場合は適宜取り替え可能としている。
【００２１】
請求項３の考案では、上記の請求項２の考案の構造において、さらに、図５および図６に示す様に、振動ヘッド２０の制御盤２１は振動ヘッド２０と別体から形成されている。図３に示す様に、振動ヘッド２０のグリップ１３に接続した３ｍの長さの振動ヘッド接続コード２２を制御盤２１の正面側の一側面に有し、図５に示す様に、制御盤２１の背面側の他側面には電源スイッチ２３と電源コード２４を有する。図５および図６に示す様に、制御盤２１の上面である操作パネル２５に振動の強さを段階的にＬＥＤで８段階に表示する強さ表示部２６と振動の速さを同じく８段階にＬＥＤで表示する速さ表示部２８を有する。さらに振動強さを任意に調節する強さ調節ボタン２７と振動速さを任意に調節する速さ調節ボタン２９を有する。
【００２２】
ここで、さらに図６を参照して、制御盤２１の上面である操作パネル２５に振動の強さを段階的にＬＥＤで８段階に表示する強さ表示部２６と振動の速さを同じく８段階にＬＥＤで表示する速さ表示部２８について説明する。先ず、振動の強さ、すなわちマッサージ強さは、４ｋｇｆ、６ｋｇｆ、８ｋｇｆ、１０ｋｇｆ、１２ｋｇｆ、１４ｋｇｆ、１６ｋｇｆ、２０ｋｇｆの８段階からなっており、制御盤２１の操作パネル２５の２列に左右に並列された強さ調節ボタン２７をそれぞれ押すことで切り換えることができ、切り換えた状態は強さ表示部の上に設けられたＬＥＤで表示して示す。さらに、振動の速さ、すなわちマッサージする速さは、１回／秒、５回／秒、８回／秒、１２回／秒、１６回／秒、２０回／秒、５０回／秒、１００回／秒の８段階からなっており、制御盤２１の操作パネル２５の２列に左右に並列された速さ調節ボタン２９をそれぞれ押すことで切り換えることができ、切り換えた状態は速さ表示部の上に設けられたＬＥＤで表示して示す。この操作パネルにおける振動の強さと振動の速さの表示感触を、それらのイメージを示す図７により模式的に示す。この図７では、強さ（ｋｇｆ）を黒地の大きさで、振動の速さを振動のパルス数とその間隔でそれぞれ模式的に示している。特に、図９に示すように、振動の速さ１回／秒および５回／秒をため打ちと称して余韻の残る刺激を付与できる。さらに、図１０に示すように、振動の速さ８回／秒〜２０回／秒を速たたきと称してリズミカルな心地よい刺激を付与できる。さらに、図１１に示すように、振動の速さ５０回／秒および１００回／秒をバイブ（バイブレーション）と称してさすっている感覚の刺激を付与できる。これらは全て振動の強さは１２ｋｇｆである。
【００２３】
以上の操作パネル２５において、図８に示す様に、本考案のマッサージ器では、その使用時に、強さ調節ボタン２７で振動強さを変更する時、その時の振動の速さの設定が５０回／秒あるいは１００回／秒であっても、振動の強さを１２ｋｇｆから１４ｋｇｆに変更すると、振動の速さは２０回／秒になり、ＬＥＤの点灯位置が図８の（ａ）の様になる。さらに、振動強さの設定が１４ｋｇｆ・１６ｋｇｆ・２０ｋｇｆであっても、振動の速さを２０回／秒から５０回／秒に変更すると、振動の強さは１２ｋｇｆになり、ＬＥＤの点灯位置が図８の（ｂ）の様になる。したがって、図８の（ｃ）に示す様に、破線で囲む範囲内での矢印で示す状態への変更はできなくなっており、バイブ時には振動強さを１２ｋｇｆ以下として身体への負担を及ぼさないものとされている。本考案のマッサージ器の仕様では、管理医療機器にクラス分類でき、電源定格はＡＣ１００Ｖ、５０／６０Ｈｚ、１６０Ｗ、マッサージの振動強度は４〜２０ｋｇｆ、振動回数１〜１００回／秒、最大連続作動時間はマッサージの振動速度１回／秒で連続３００回（５分）、安全装置として感熱体１５による振動ヘッド温度上昇検知と振動ヘッド配線断線検知を有する。
【００２４】
図１２は、本考案の装置の振動ヘッド２０を自分で身体の各部の凝っている場所にあてがって肩たたきあるいはマッサージをしている状態を示しており、図１２の左側から肩、腕、背中、ひざ、足うらをマッサージしている状態である。本考案の装置は、このように簡易に負担なく使用でき、かつ安全である。
【符号の説明】
【００２５】
１  接触子
１ａ  接触部
１ｂ  後端軸
１ｃ  嵌着孔
２  Ｏリング
３  取り付け具
３ａ  先端
３ｂ  拡径円盤
４  前端部材
４ａ  軸孔
４ｂ  先端壁
４ｃ  後半部
４ｄ  内径
５  長筒状ゴム
５ａ  環状孔
５ｂ  外径
６  短筒状ゴム
７  ボビン受け
７ａ  ボビン押さえ部
７ｂ  ボビン受け部
７ｃ  環状間隙部
８  ボビン
９  ソレノイド
１０  ハウジング
１０ａ  後端
１１  バネ
１２  後端部
１２ａ  環状部
１２ｂ  環状孔
１３  グリップ
１４  配線
１５  感熱体
１６  可動体
１６ａ  前半部
１６ｂ  後半部
１７  ロッド
１８  後蓋
１９  ヘッドスイッチ
２０  振動ヘッド
２１  制御盤
２２  振動ヘッド接続コード
２３  電源スイッチ
２４  電源コード
２５  操作パネル
２６  強さ表示部
２７  強さ調節ボタン
２８  速さ表示部
２９  速さ調節ボタン
３０  電源ランプ
【図１】
0003156487.tif 000003
【図２】
0003156487.tif 000004
【図３】
0003156487.tif 000005
【図４】
0003156487.tif 000006
【図５】
0003156487.tif 000007
【図６】
0003156487.tif 000008
【図７】
0003156487.tif 000009
【図８】
0003156487.tif 000010
【図９】
0003156487.tif 000011
【図１０】
0003156487.tif 000012
【図１１】
0003156487.tif 000013
【図１２】
0003156487.tif 000014